(57)【要約】【課題】既存の輪投げ装置は、目の不自由な者に対する配慮がなく、目が不自由な者が輪投げ遊技に興じようとする場合、常に目が不自由でない者が同行して、投げ輪を投じようとする位置から、輪投げ装置が設置されている位置までの方向と距離を告げなければならない。、【解決手段】本発明は、目標柱２を直立するための基台１内に、音楽を発することが可能な音響信号発生基板４と、永続的にこの音楽を繰り返して発することが可能な繰返し回路基板８を装備し、電源は単３電池８ｂを３本用いて、４．５Ｖとして、連続４８時間音楽演奏を可能とし、目が不自由な者でも音楽の発生方向に向かって投げ輪（１７ａ、１７ｂ）を投じることが出来る。【選択図】　　　　　　　図１
2004049858.tif 000002
【特許請求の範囲】
【請求項１】
投げ輪（１７ａ、１７ｂ）を投じるための目標柱（２）と、目標柱（２）を直立させるための基台（１）と、基台（１）内に収納して音響信号を発生させるための音響信号発生回路（４）と、音響信号を繰返すための繰返し回路（６）と、音響信号を音響として発するためのスピーカー（１０）と、音響信号発生回路（４）及び繰返し回路（６）に電源を供給するための電池収納器（８ａ）及び電池（８ｂ）と、音響信号発生回路（４）及び繰返し回路（６）に供給する電源を入り切りするための電源スイッチ（１３）と、投げ輪（１７ａ、１７ｂ）から成る輪投げ装置。
【請求項２】
電源に適宜な直流出力電圧と電流が得られる交流電源変換器（１８）を用いることにより、交流１００Ｖ電源を用いても、電池電源の場合と同様な作用を行うことが出来ることを特徴とした請求項１に記載の輪投げ装置。
【発明の詳細な説明】
【０００１】
【発明の属する技術分野】
本発明の輪投げ装置は、特に目の不自由な者が音響の発生方向に向かって投げ輪を投じることの用に関する。
【０００２】
【従来の技術】
現在、この種の輪投げ装置として、例えば、特開平２００１−６０９「輪投げ玩具」、特開平０８−０７１２４９「輪投げ遊戯装置」、特開平０７−２４１３６０「輪投げ遊戯設備」、特開平０６−０９１０２７「輪投げ用まと」、実開平５−２８３６５「輪投げ玩具」、実開平５−６５３９８「金属探知機付玩具」等が公知されている。
【０００３】
しかしながら、これ等のものは、投げ輪が目標柱を潜っても、音響を発しないもの、投げ輪が目標柱を潜ったときは、目標柱に装備された発光体が光るもの、投げ輪が目標柱を潜ったときのみ音響を発するもの等であって、最初から目標柱の位置を示すために音響を発するものはなく、福祉団体や行政機関より目の不自由な者に対しても配慮された輪投げ装置の開発が要望されていた。
【０００４】
【発明が解決しようとする課題】
前記のように、現在実用化されている輪投げ装置では、目の不自由な者が輪投げ遊技に興じようとしても、輪投げ装置の存在個所が分からず、目が不自由でない者が常に同行して、投げ輪を投じようとする位置から、輪投げ装置が存在する目標柱までの方向と距離を告げてやらなければならないという不便さがあり、特に目の不自由な者同士で輪投げを行うことは全く不可能な状態である。
【０００５】
【課題を解決するための手段】
そこで、本発明の輪投げ装置は基台と目標柱と裏蓋を木製とし、投げ輪も麻縄として、麻縄の継ぎ目には綿布を用い、本発明の投げ輪装置が廃棄となり、可燃ゴミとして焼却する際、有毒ガスの発生が皆無となるよう、環境衛生にも配慮している。
【０００６】
まず、基台内部には、電源を投入すると、即時音響信号を出力することができる３端子型ワンチップメロディー集積回路を搭載した音響信号発生回路を収め、この音響信号を音響として発することが出来るスピーカーを装備している。
【０００７】
しかしながら、前記音響信号発生回路内に有する３端子型ワンチップメロディー集積回路は、１回の音楽演奏が終了すると自動停止するため、繰返し回路を搭載して、３端子型ワンチップメロディー集積回路を再動作させて、永続的に音楽演奏を繰返すことが出来るようにしている。
【０００８】
繰返し回路は、時限回路ａと、時限回路ａの作用によって動作する継電器ａ、及び時限回路ｂと、時限回路ｂの作用によって動作する継電器ｂからなり、時限回路ａの時限を３端子型ワンチップメロディー集積回路が出力する音楽演奏時間と同一時間に設定し、継電器ａの接点を３端子型ワンチップメロディー集積回路の入力側と時限回路ｂに接続し、継電器ｂの接点は、時限回路ａに接続する。
【０００９】
以上により、音響信号発生回路内に有する３端子型ワンチップメロディー集積回路が１回の音楽演奏を終了して自動停止すると、時限回路ａと継電器ａと時限回路ｂと継電器ｂの作用によって、直ちに継電器ａの接点が３端子型ワンチップメロディー集積回路を再動作させるため、永続的に音楽演奏を可能にしている。
【００１０】
電源は、単３電池を３本用いて電圧を４．５Ｖとし、連続４８時間使用して、２．８Ｖに低下しても異常なく動作するように配慮がなされている。
【００１１】
【発明の実態の形態】
本発明の輪投げ装置は、基台１及び目標柱２、裏蓋１６を木製とし、また、投げ輪１７ａ、１７ｂも素材に麻縄１７ａと綿布１７ｂを用いることにより、本発明の輪投げ装置が廃棄処分となり、可燃ゴミとして焼却処理をする場合、有毒ガスの発生を皆無として、環境衛生についても配慮している。
【００１２】
図１、図２を参照して、基台１は、木片を正四角形に加工し、表面と側面の角部を全て取り除いて丸みを設け、内部は、音響信号発生回路４を取付けるための音響信号発生回路取付け部３、繰返し回路６を取付けるための繰返し回路取付け部５、電池収納器８ａを取付けるための電池収納器取付け部７、スピーカー１０を取付けるためのスピーカー取付け部９、電源スイッチ１３を取付けるための電源スイッチ取付け穴１２を設け、更に、中心には、目標柱を木ネジ１４で固定するための、目標柱取付け穴１５ａを設け、表面には、スピーカー１０より発せられる音響を抜くための、音抜き穴１１を設ける。
【００１３】
図３を参照して、目標柱２は、木片を細長の丸棒に加工し、先端の一端は、角部を除去して丸みを設け、他端は、基台１と木ネジ１４で固定するための基台取付け穴１５ｂを設ける。
【００１４】
図４、図５、図９を参照して、音響信号発生回路４は、３端子型ワンチップメロディー集積回路４ａを搭載したものであり、電源を投入すると、直ちに音楽演奏を開始し、音楽演奏が終了すると自動停止するため、音楽演奏を継続させるため、繰返し回路６を搭載している。
【００１５】
繰返し回路６は、時限回路ａと、時限回路ａの作用によって動作する継電器ａ及び時限回路ｂと、時限回路ｂの作用によって動作する継電器ｂからなり、時限回路ａの時限を、音響信号発生回路４内に有する３端子型ワンチップメロディー集積回路４ａより出力される音楽演奏時間と同一時間に設定し、継電器ａの二つの接点のうち、一方の接点を、３端子型ワンチッブメロデー集積回路４ａの入力側に接続し、もう一つの接点は、時限回路ｂを短絡するように接続して、接点が閉じている間は時限回路ｂを休止させ、また、時限回路ｂの時限は、約０．５秒に固定し、継電器ｂの接点は、時限回路ａが短絡するように接続する。
【００１６】
３端子型ワンチップメディー集積回路４ａは、前述の通り、電源投入と同時に音楽演奏を開始して、間もなく演奏が終了するが、このとき、時限回路ａの時限も終了するため、継電器ａも二つの接点を開き、その一つの接点は、３端子型ワンチップメロディー集積回路４ａを休止させ、もう一つの接点は、休止している時限回路ｂの短絡を解いて動作をさせるため、時限回路ｂは時限設定により、約０．５秒間動作すると、継電器ｂは接点を約０．５秒間閉じて再度開くため、時限回路ａは、約０．５秒間休止した後、再度動作して継電器ａの二つの接点を閉じさせて、その一つの接点は、時限回路ｂを再び休止させ、他の一つの接点は、３端子型メロディー集積回路４ａを再び動作させるため、この動作を繰返して、永続的に音楽演奏を繰返すこととなる。
【００１７】
図２、図３、図４、図５、図９を参照して、予め、音響信号発生回路４、繰り返し回路６、電池収納器８ａ、スピーカー１０、源電源スイッチ１３を適宜な長さに加工した導線を用いて配線作業を行ったのち、基台１に設けた音響信号発生回路取付け部３に音響信号発生回路４を、繰返し回路取付け部５に繰返し回路６を、電池収納器取付け部７に電池取付け器８ａを、スピーカー取付け部９にスピーカー１０を、電源スイッチ取付け穴１２に電源スイッチ１３を各々取付け、更に、目標柱取付け穴１５ａと、標柱２に設けた基台取付け穴１５ｂを木ネジ１４を用いて基台１と目標柱２を固定し、前記各取付け部を保護するため、裏蓋１６を取付けて本発明の輪投げ装置は完成する。
【００１８】
電源は、単３電池３本を用いて電圧を４．５Ｖとし、２４時間連続使用して、２．８Ｖに低下しても、何ら異常なく使用できるように考慮している。
【００１９】
【実施例】
本発明の輪投げ装置の請求項１の実施例について図面を参照して説明する。
【００２０】
図１、図２を参照して、基台１は、木片を縦１７０ｍｍ、横１７０ｍｍ、厚さ３５ｍｍに加工し、側面の四隅と、表面と側面の角部を全て取り除いて丸みを設け、裏面より、音響信号発生回路取付け部３、繰返し回路取付け部５、電池収納器取付け部７、スピーカー取付け部９、及び音抜き穴１１、電源スイッチ取付け穴１２を設け、更に、中心に目標柱２を取付けるための目標柱取付け穴１５ａを設け、表面にスピーカー１０より発せられる音響を抜くための、抜き穴１１を設ける。
【００２１】
図３を参照して、目標柱２は、木片を直径２５ｍｍ、長さ２５０ｍｍの丸棒に加工し、この丸棒の一端は、角部を取り除いて丸みを設け、他端は、木ネジ１４を用いて基台１と固定するための基台取付け穴１５ｂを設ける。
【００２２】
図２、図３、図４、図５、図９を参照して、予め、音響信号発生回路４、繰返し回路６、電池収納器８ａ、スピーカー１０、電源スイッチ１３の間を、４ｂ、４ｃ、４ｄ、４ｅなどの適宜な長さの導線を用いて配線作業を行った後、基台１に設けた音響信号発生回路取付け部３に音響信号発生回路４を、繰返し回路取付け部５に繰返し回路６を、電池収納器取付け部７に電池収納器８ａを２．６ｍｍ×１０ｍｍの木ねじを用いて取付け、更に、スピーカー１０は、スピーカー取付け部９に接着剤を用いて取付け、更に、電源スイッチ１３は、電源スイッチ取付け穴１２へ、付属のナットを用いて取付ける。
【００２３】
図４を参照して、ここで、本発明の輪投げ装置の動作について詳述すると、音響信号発生回路４は、３端子型ワンチップメロディー集積回路４ａ（製品名ＳＥ２２）を搭載したものであり、１度音楽演奏を行った後は自動停止するため、この音楽演奏を永続的に繰り返すため、繰返し回路６を搭載している。
【００２４】
図９を参照して、繰返し回路６は、時限回路ａの作用によって動作して２回路の接点を有する継電器ａと、時限回路ｂの作用によって動作して１回路の接点を有する継電器ｂからなり、継電器ａの一つの接点は、接点が閉じているときは、時限回路ｂが短絡するように時限回路ｂに接続し、他の一つの接点は、接点が開いているときは休止するように、音響信号発生回路４内に有する３端子型ワンチップメロディー集積回路４ａの入力側に接続する。
【００２５】
時限回路ａの時限は３端子型ワンチップメロディー集積回路から出力される音楽演奏時間と同一時間（２５秒）に調整し、また、時限回路ｂの時限は約０．５秒に固定して、継電器ｂの接点は、接点が閉じているときは、時限回路ａが短絡するように時限回路ａに接続する。
【００２６】
音響信号発生回路４と繰返し回路６に電源を投入すると、３端子型ワンチップメロディー集積回路４ａは、直ちに音楽演奏を開始し、演奏が終了すると自動停止するが、時限回路ａの時限も終了するため、継電器ａの二つの接点は開き、そのうちの一方の接点は、３端子型ワンチップメロディー集積回路を休止させる。
【００２７】
一方、継電器ａの他の接点が開くことにより、時限回路ｂは短絡が解かれ、約０．５秒間動作すると、継電器ｂの接点も約、０．５間閉じた後、直ちに開くため、時限回路ａは約０．５秒間休止して再び動作することとなり、継電器ａの二つの接点も、約０．５秒間開いて再び閉じ、継電器ａの前記の他方の接点によって、時限回路ｂは再び短絡状態となり、継電器ａの前記の一方の接点により、３端子式ワンチップメロディー集積回路４ａも約０．５秒間休止したのち再び動作状態となって、この動作を繰返し、音楽演奏も永続的に繰り返すこととなる。
【００２８】
音響信号発生回路４の電圧と消費電流は、４．５Ｖ１００μＡであり、繰返し回路６の電圧と消費電流は、４．５Ｖ１０ｍＡであるため、電池収納器８ａに単３電池を３本を収めて電圧を４．５Ｖとし、４８時間連続使用して、音響信号発生回路４、及び繰返し回路６に印加される電圧が２．８Ｖに低下するまで異常なく動作するように配慮している。
【００２９】
図２を参照して、基台１に設けた目標柱取付け穴１５ａと、目標柱２に設けた基台取付け穴１５ｂに木ネジ１４を用いて基台１と目標柱２を固定し、更に、音響信号発生回路４、繰返し回路６、亀池収納器８ａ、スピーカー１０、等の取付けた部分に、厚さ２ｍｍの裏蓋１６を、２．６ｍｍ×１０ｍｍの木ネジを用いて取付けて本発明の輪投げ装置は完成する。
【００３０】
図１０を参照して、投げ輪１７ａ、１７ｂは、約５００ｍｍの長さに切断した太さ１２ｍｍ麻縄（１７ａ）の両端に接着剤を浸透させ、上から綿布（１７ｂ）を巻いて固定する。
【００３１】
【発明の効果】
本発明の投げ輪装置は、以上説明したように構成されているため、以下に記載のような効果を奏する。
【００３２】
本発明の輪投げ装置は、基台内に音響信号発生回路と、繰返し回路を搭載しているため、電源を投入すると、直ちに音響信号発生回路と繰返し回路は動作し、音楽演奏を開始して、やがて演奏が終了して自動停止するが、このとき、繰返し回路内に有する時限回路ａも時限が終了し、この時限の終了によって継電器ａの二つの接点が開いた状態となり、このうち、一方の接点は、音響信号発生回路に有する３端子型ワンチップメロディー集積回路の入力回路に作用して、３端子型ワンチップメロディー集積回路を休止させる。
【００３３】
また、時限回路ａの他方の接点の開いた状態が時限回路ｂに作用して継電器ｂの接点を開閉させ、この接点開閉が時限回路ａに作用して、継電器ａ二つの接点を閉じさせるが、この閉じた前記の一方の接点をが、再び３端子型ワンチップメロディー集積回路を動作させる結果、この動作を繰返して、永続的に音楽演奏を行うことが可能となり、目が不自由な者が単独でも、常に演奏方向に向かって輪投げ遊技に興じることが出来るようになった。
【００３４】
使用電源は、電池を用いずに、直流出力電圧が４．５Ｖの適宜な交流電源変換器を用い、家庭用の１００Ｖ電源を用いても、電池電源の場合と同様な作用を行うことが出来る。
【００３５】
本発明の輪投げ装置よって、目の不自由な者であっても、容易に輪投げ遊技に興じることが可能となり、福祉団体や行政機関より要望のあった、目の不自由な者同士でも容易に輪投げ遊技に興じることが可能な輪投げ装置の出現に応えることが出来た。
【００３６】
また、演奏する音楽は、目が不自由でない者が聞いても耳障りとならないように十分に配慮され、音楽を聞きながら輪投げ遊技に興じることが出来る。
【００３７】
本発明の輪投げ装置の基台、目標柱、裏蓋を木製とし、投げ輪も麻縄と綿布を用いたため、本発明の輪投げ装置が廃棄処分となり、焼却処理とするときは、人体に有害な有毒ガスの発生を皆無とすることが出来て、環境衛生にも貢献することが出来る。
【図面の簡単な説明】
【図１】本発明の請求項１に係る輪投げ装置の立体図。
【図２】本発明の請求項１請求項２に係る輪投げ装置の基台及び裏蓋の説明図。
【図３】本発明の請求項１請求項２に係る輪投げ装置に於て、目標柱の説明図。
【図４】本発明の請求項１請求項２に係る輪投げ装置に於て、音響信号発生回路の実装図。
【図５】本発明の請求項１請求項２に係る輪投げ装置に於て、繰返し回路の実装図。
【図６】本発明の請求項１請求項２に係る輪投げ装置に於けるスピーカーの説明図。
【図７】本発明の請求項１請求項２に係る輪投げ装置に於て、電池収納器の立体図。
【図８】本発明の請求項２に係る輪投げ装置に於て、交流電源変換器の立体図。
【図９】本発明の請求項１請求項２係る輪投げ装置に於て、電子回路の系統図。
【図１０】本発明の請求項１請求項２に係る輪投げ装置に於て、投げ輪の説明図。
【符号の説明】
１　　基台
２　　目標柱
３　　音響信号発生回路取付け部
４　　音響信号発生回路
４ａ　３端子型ワンチップメロディー集積回路
４ｂ　メロディー集積回路と繰返し回路間の接続線
４ｃ　メロディー集積回路と繰返し回路間の接続線
４ｄ　メロディー集積回路とスピーカー間の接続線
４ｅ　音響信号発生回路とスピーカー間の接続線
５　　繰返し回路取付け部
６　　繰返し回路
６ａ　継電器ａ
６ｂ　継電器ｂ
７　　電池収納器取付け部
８ａ　電池収納器
８ｂ　電池
９　　スピーカー取付け部
１０　　カピーカー
１１　　音抜き穴
１２　　電源スイッチ取付け穴
１３　　電源スイッチ
１４　　木ネジ
１５ａ　目標柱取付け穴
１５ｂ　基台取付け穴
１６　　裏蓋
１７ａ　投げ輪麻縄部
１７ｂ　投げ輪綿布部
１８　　交流電源変換器
【図１】
2004049858.tif 000003
【図２】
2004049858.tif 000004
【図３】
2004049858.tif 000005
【図４】
2004049858.tif 000006
【図５】
2004049858.tif 000007
【図６】
2004049858.tif 000008
【図７】
2004049858.tif 000009
【図８】
2004049858.tif 000010
【図９】
2004049858.tif 000011
【図１０】
2004049858.tif 000012